(57)【要約】      （修正有）【課題】ユーザが撮影の際に構図を検討する場面において、設定可能なアスペクト比をユーザに認識させてユーザ所望の構図で撮影を行うことができるようにする撮像装置、その制御方法、および制御プログラムを提供する。【解決手段】システム制御部５０はカメラ１００の姿勢が所定の時間を経過しても変化がないか又は予め定められた操作があると、カメラの姿勢を現在の決定姿勢としてシステムメモリ５２に記録する。システム制御部５０は現在の決定姿勢よりも前にシステムメモリに記録された決定姿勢を前回の決定姿勢として、現在の決定姿勢と前回の決定姿勢とが異なると、撮像を行う際のアスペクト比が変更可能である旨の報知を行う。【選択図】図１
2017085465.tif 000002
【特許請求の範囲】
【請求項１】
被写体を撮像して画像データを得る撮像装置であって、
前記撮像装置の姿勢が所定の時間を経過しても変化がないか又は予め定められた操作があると、前記撮像装置の姿勢を現在の決定姿勢として記録する記録手段と、
前記現在の決定姿勢よりも前に前記記録手段によって記録された決定姿勢を前回の決定姿勢として、前記現在の決定姿勢と前記前回の決定姿勢とが異なると、前記撮像を行う際のアスペクト比が変更可能である旨の報知を行う報知手段と、
を有することを特徴とする撮像装置。
【請求項２】
前記報知手段は、前記アスペクト比が変更可能であることを示すアスペクト比変更ガイドを表示部に表示されるスルー画像に重畳して表示することを特徴とする請求項１に記載の撮像装置。
【請求項３】
前記スルー画像においてフォーカスを合わせる領域を囲む枠を表示する表示制御手段を有し、
前記報知手段は前記アスペクト比変更ガイドを、前記枠を避けた位置に表示することを特徴とする請求項２に記載の撮像装置。
【請求項４】
前記アスペクト比変更ガイドには、設定可能な少なくとも１つのアスペクト比候補が含まれており、
前記アスペクト比候補のうち一つが選択されると、前記選択されたアスペクト比候補をアスペクト比として設定する設定手段と、
を有することを特徴とする請求項請求項２又は３に記載の撮像装置。
【請求項５】
前記表示部に対する接触を検知するタッチパネルを備え、
前記アスペクト比変更ガイドには前記タッチパネルに対して予め定められた操作を行うとアスペクト比が変更可能である旨の情報が含まれていることを特徴とする請求項２又は３に記載の撮像装置。
【請求項６】
前記予め定められた操作は、前記タッチパネルを所定の速度未満でなぞるドラッグ操作であることを特徴とする請求項５に記載の撮像装置。
【請求項７】
前記報知手段は、前記アスペクト比の変更が可能である旨の報知を行った後、前記アスペクト比の変更が行われることなく撮影が行われると、前記撮影によって得られた画像において前記アスペクト比の変更が可能である旨の報知を行うことを特徴とする請求項１乃至６のいずれか１項に記載の撮像装置。
【請求項８】
前記報知に基づいて前記アスペクト比が設定変更されると、当該設定変更されたアスペクト比に応じて前記撮影によって得られた画像を処理する処理手段を有することを特徴とする請求項７に記載の撮像装置。
【請求項９】
前記報知手段は、前記アスペクト比が変更可能である旨の報知を行った後、ユーザによるアスペクト比の設定変更操作がない場合であっても予め設定された時間が経過するまで報知を継続することを特徴とする請求項１乃至６のいずれか１項に記載の撮像装置。
【請求項１０】
前記報知手段は、前記アスペクト比が予め定められたアスペクト比であると、前記アスペクト比が変更可能である旨の報知を行わないことを特徴とする請求項１乃至９のいずれか１項に記載の撮像装置。
【請求項１１】
被写体を撮像して画像データを得る撮像装置の制御方法であって、
前記撮像装置の姿勢が所定の時間を経過しても変化がないか又は予め定められた操作があると、前記撮像装置の姿勢を現在の決定姿勢としてメモリに記録する記録ステップと、
前記現在の決定姿勢よりも前に前記メモリに記録された決定姿勢を前回の決定姿勢として、前記現在の決定姿勢と前記前回の決定姿勢とが異なると、前記撮像を行う際のアスペクト比が変更可能である旨の報知を行う報知ステップと、
を有することを特徴とする制御方法。
【請求項１２】
被写体を撮像して画像データを得る撮像装置で用いられる制御プログラムであって、
前記撮像装置が備えるコンピュータに、
前記撮像装置の姿勢が所定の時間を経過しても変化がないか又は予め定められた操作があると、前記撮像装置の姿勢を現在の決定姿勢としてメモリに記録する記録ステップと、
前記現在の決定姿勢よりも前に前記メモリに記録された決定姿勢を前回の決定姿勢として、前記現在の決定姿勢と前記前回の決定姿勢とが異なると、前記撮像を行う際のアスペクト比が変更可能である旨の報知を行う報知ステップと、
を実行させることを特徴とする制御プログラム。
【発明の詳細な説明】
【技術分野】
【０００１】
本発明は、撮像装置、その制御方法、および制御プログラムに関し、特に、撮影の結果得られた画像をアスペクト比が異なる画像に変更可能な撮像装置に関する。
【背景技術】
【０００２】
一般に、ユーザが様々な構図における撮影を検討するため、撮影の結果得られた（撮影画像）のアスペクト比を変更することのできる撮像装置が知られている。例えば、撮像装置に加速度及び／又は角加速度を検出する傾きセンサを備えて、撮像装置を振るような動きがあると、撮影画像のアスペクト比を変更する撮像装置がある（特許文献１参照）。
【先行技術文献】
【特許文献】
【０００３】
【特許文献１】特開２０１０−６８０７２号公報
【発明の概要】
【発明が解決しようとする課題】
【０００４】
上述のように、特許文献１に記載の撮像装置では、ユーザが撮像装置に対して振る操作を行うと、撮影画像のアスペクト比を変更している。一方、ユーザが撮像装置の姿勢を変えて撮影画像の構図を検討する場合がある。この場合、一般的にユーザは撮像装置を縦向き（縦長）又は横向き（横長）として構図を検討する。そして、縦向きおよび横向きで切り替えられるアスペクト比は、同一の比率あり縦向きで（例えば、９：１６又は３：４）、横向きで（例えば、１６：９又は４：３）である。さらには、アスペクト比設定を切り替えることによって様々な構図において撮影を行うことが可能な撮像装置もある。
【０００５】
しかしながら、ユーザが撮像装置の姿勢を変えて構図を検討しようとした場合、特許文献１の手法では、撮影画像のアスペクト比がユーザ意図に拘わらず変更される。この結果、ユーザは所望の構図で撮影ができないことがある。
【０００６】
例えば、ユーザが撮像装置を横向きに構えてアスペクト比が１６：９とした後、撮像装置の姿勢を縦向きに変えると、アスペクト比が９：１６になる。アスペクト比９：１６は、例えば、アスペクト比３：４に比べて一般的ではないものの、ユーザがアスペクト比を変更できることに気付かず、アスペクト比９：１６で撮影してしまうことがある。この結果、ユーザの意図に拘わらず撮影画像が一般的でないアスペクト比となってしまうことになる。
【０００７】
そこで、本発明の目的は、ユーザが構図を検討する場面において、設定可能なアスペクト比をユーザに認識させて、ユーザ所望の構図で撮影を行うことができる撮像装置、その制御方法、および制御プログラムを提供することにある。
【課題を解決するための手段】
【０００８】
上記目的を達成するために、本発明による撮像装置は、被写体を撮像して画像データを得る撮像装置であって、前記撮像装置の姿勢が所定の時間を経過しても変化がないか又は予め定められた操作があると、前記撮像装置の姿勢を現在の決定姿勢として記録する記録手段と、前記現在の決定姿勢よりも前に前記記録手段によって記録された決定姿勢を前回の決定姿勢として、前記現在の決定姿勢と前記前回の決定姿勢とが異なると、前記撮像を行う際のアスペクト比が変更可能である旨の報知を行う報知手段と、を有することを特徴とする。
【０００９】
本発明による制御方法は、被写体を撮像して画像データを得る撮像装置の制御方法であって、前記撮像装置の姿勢が所定の時間を経過しても変化がないか又は予め定められた操作があると、前記撮像装置の姿勢を現在の決定姿勢としてメモリに記録する記録ステップと、前記現在の決定姿勢よりも前に前記メモリに記録された決定姿勢を前回の決定姿勢として、前記現在の決定姿勢と前記前回の決定姿勢とが異なると、前記撮像を行う際のアスペクト比が変更可能である旨の報知を行う報知ステップと、を有することを特徴とする。
【００１０】
本発明による制御プログラムは、被写体を撮像して画像データを得る撮像装置で用いられる制御プログラムであって、前記撮像装置が備えるコンピュータに、前記撮像装置の姿勢が所定の時間を経過しても変化がないか又は予め定められた操作があると、前記撮像装置の姿勢を現在の決定姿勢としてメモリに記録する記録ステップと、前記現在の決定姿勢よりも前に前記メモリに記録された決定姿勢を前回の決定姿勢として、前記現在の決定姿勢と前記前回の決定姿勢とが異なると、前記撮像を行う際のアスペクト比が変更可能である旨の報知を行う報知ステップと、を実行させることを特徴とする。
【発明の効果】
【００１１】
本発明によれば、ユーザが撮影の際に構図を検討する場面において、撮像装置の姿勢が異なると設定可能なアスペクト比をユーザに報知する。これによって、ユーザに設定可能なアスペクト比を認識させて、ユーザ所望の構図で撮影を行うことができる。
【図面の簡単な説明】
【００１２】
【図１】本発明の実施の形態による撮像装置の一例についてその構成を示すブロック図である。
【図２】図１に示すカメラで行われる撮影動作を説明するためのフローチャートである。
【図３】図２に示す撮影後アスペクト比変更処理を説明するためのフローチャートである。
【図４】図１に示す表示部に表示される画像とともに表示されるアスペクト比変更ガイドの一例を説明するための図であり、（ａ）はアスペクト比変更ガイドの第１の例を示す図、（ｂ）はアスペクト比変更ガイドの第２の例を示す図である。
【図５】図１に示す表示部に表示されたアスペクト比変更ガイドを参照して行われるアスペクト比の設定変更操作を説明するための図であり、（ａ）は表示部に表示されたスルー画像の第１の例を示す図、（ｂ）は表示部に表示されたスルー画像の第２の例を示す図、（ｃ）はスルー画像に重畳された表示されたアスペクト比変更ガイドの一例を示す図、（ｄ）はアスペクト比変更ガイドにおけるアスペクト比候補の選択を示す図である。
【発明を実施するための形態】
【００１３】
以下に、本発明の実施の形態による撮像装置の一例について図面を参照して説明する。
【００１４】
図１は、本発明の実施の形態による撮像装置の一例についてその構成を示すブロック図である。
【００１５】
図示の撮像装置は、例えば、デジタルカメラ（以下単にカメラと呼ぶ）１００であり、撮影レンズユニット（以下単に撮影レンズと呼ぶ）１０３を有している。撮影レンズ１０３には、例えば、ズームレンズおよびフォーカスレンズが含まれており、撮影レンズ１０３の後段には絞り機能を備えるシャッター１０１が配置されている。撮像部２２は、ＣＣＤ又はＣＭＯＳ光学素子などの撮像素子を有しており、撮影レンズ１０３およびシャッター１０１を介して撮像素子に光学像（被写体像）が結像する。そして、撮像部２２は光学像に応じた電気信号（アナログ信号）を出力する。Ａ／Ｄ変換器２３は、撮像部２２の出力であるアナログ信号を、Ａ／Ｄ変換によってデジタル信号（つまり、画像データ）に変換する。
【００１６】
なお、バリア１０２によって、撮影レンズ１０３を含む撮像系が覆われており、バリア１０２は撮影レンズ１０３、シャッター１０１、および撮像部２２を含む撮像系の汚れおよび破損を防止する。
【００１７】
画像処理部２４は、Ａ／Ｄ変換器２３の出力である画像データ、又はメモリ制御部１５からの画像データに対して所定の画素補間および縮小などのリサイズ処理、アスペクト比変更処理、および色変換処理を行う。さらに、画像処理部２４は、撮影の結果得られた画像データを用いて所定の演算処理を行い、当該演算結果に基づいてシステム制御部５０は露光制御および測距制御を行う。測距制御を行う際には、システム制御部５０は演算結果に基づいて画像データにおいてフォーカスを合わせるべき箇所（位置）を判定する。これによって、ＴＴＬ（スルー・ザ・レンズ）方式のＡＦ（オートフォーカス）処理およびＡＥ（自動露出）処理などが行われる。
【００１８】
また、画像処理部２４は、撮影の結果得られた画像データを用いて所定の演算処理を行って、当該演算結果に基づいてＴＴＬ方式のＡＷＢ（オートホワイトバランス）処理を行う。
【００１９】
Ａ／Ｄ変換器２３の出力である画像データは、画像処理部２４およびメモリ制御部１５を介して、或いはメモリ制御部１５を介してメモリ３２に直接書き込まれる。メモリ３２には、Ａ／Ｄ変換器２３の出力である画像データ（つまり、ここでは、ＲＡＷ画像）が格納されるとともに、表示部２８に表示するための表示用画像データが格納される。メモリ３２は、所定枚数の静止画像および所定時間の動画像、そして、音声を格納するために十分な記憶容量を有している。
【００２０】
メモリ３２は画像表示用のメモリ（ビデオメモリ）を兼ねている。Ｄ／Ａ変換器１３は、メモリ３２に格納された表示用画像データをアナログ画像信号に変換して表示部２８に送る。これによって、メモリ３２に格納された表示用画像データはＤ／Ａ変換器１３を介して表示部２８に画像として表示される。
【００２１】
表示部２８は、例えば、ＬＣＤであり、メモリ３２に格納された表示用画像データをＤ／Ａ変換器１９を介して表示部２８に逐次転送して表示すれば、表示部２８は電子ビューファインダとして機能し、所謂スルー画像表示（ライブビュー表示）を行うことができる。
【００２２】
不揮発性メモリ５６は、電気的に消去・記録可能なメモリであって、例えば、ＥＥＰＲＯＭが用いられる。不揮発性メモリ５６には、システム制御部５０の動作用の定数およびプログラムなどが記憶される。このプログラムには、後述するフローチャートを実行するためのプログラムが含まれる。
【００２３】
システム制御部５０は、カメラ全体を制御する。システム制御部５０は前述の不揮発性メモリ５６に記録されたプログラムを実行することによって、後述する処理を行う。システムメモリ５２としてＲＡＭが用いられる。システムメモリ５２には、システム制御部５０の動作用の定数、変数、および不揮発性メモリ５６から読み出したプログラムなどが展開される。なお、システム制御部５０はメモリ３２、Ｄ／Ａ変換器１３、および表示部２８など制御することによって表示制御を行う。
【００２４】
システムタイマー５３は各種制御に用いる時間および内蔵された時計の時間を計測する計時部である。モード切替スイッチ６０、シャッターボタン６１、および操作部７０はシステム制御部５０に各種の動作指示を入力するための操作部材である。
【００２５】
モード切替スイッチ６０は、システム制御部５０の動作モードを静止画記録モード、動画記録モード、および再生モードのいずれかに切り替える際に用いられる。静止画記録モードとして、例えば、オート撮影モード、オートシーン判別モード、マニュアルモード、撮影シーン別の撮影設定である各種シーンモード、プログラムＡＥモード、およびカスタムモードがある。
【００２６】
モード切り替えスイッチ６０を用いて、静止画撮影モードのいずれかのモードに直接切り替えることができる。また、モード切り替えスイッチ６０によって静止画撮影モードに一旦切り換えた後、静止画撮影モードのいずれかのモードに他の操作部材を用いて切り替えるようにしてもよい。同様に、動画撮影モードにおいても複数のモードが含まれるようにしてもよい。
【００２７】
シャッターボタン６１が所謂半押し（撮影準備指示）されると、システム制御部５０に第１シャッタースイッチ信号ＳＷ１が送られる。第１シャッタースイッチ信号ＳＷ１に応答して、システム制御部５０は、ＡＦ（オートフォーカス）処理、ＡＥ（自動露出）処理、およびＡＷＢ（オートホワイトバランス）処理などを開始する。
【００２８】
シャッターボタン６１が所謂全押し（撮影指示）されると、第２シャッタースイッチ信号ＳＷ２がシステム制御部５０に送られる。第２シャッタースイッチ信号ＳＷ２に応答して、システム制御部５０は、撮像部２２の信号読み出しから記録媒体２００に画像データを書き込むまでの一連の撮影処理を開始する。この際、システム制御部５０は表示部２８に撮影の結果得られた画像を表示する。
【００２９】
操作部７０に備えられた操作部材は、表示部２８に表示された種々の機能アイコンを選択操作することによって場面毎に適宜機能が割り当てられて、各種機能ボタンとして作用する。機能ボタンとして、例えば、メニューボタン、終了ボタン、戻るボタン、画像送りボタン、ジャンプボタン、絞込みボタン、および属性変更ボタンがある。
【００３０】
メニューボタンが押されると、システム制御部５０は各種の設定を行うためのメニュー画面を表示部２８に表示する。ユーザは、表示部２８に表示されたメニュー画面を目視しつつ、操作部材である上下左右の４方向ボタンおよびＳＥＴボタンを用いて直感的に各種設定を行うことができる。
【００３１】
さらに、図示のカメラ１００には、操作部材の１つとして、表示部２８に対する接触を検知するためのタッチパネル（図示せず）が備えられている。タッチパネルと表示部２８とは、例えば、一体的に構成される。この際には、タッチパネルを光の透過率が表示部２８の表示を妨げないように構成して、表示部２８の表示面に取り付ける。そして、タッチパネルにおける入力座標と表示部２８の表示座標とを対応づける。これによって、恰もユーザが表示部２８に表示された画面を直接的に操作可能なＧＵＩを構成することができる。
【００３２】
システム制御部５０はタッチパネルに対する以下の操作球は状態を検出する。
【００３３】
タッチパネルを指又はペンで触れたこと（タッチダウン）。タッチパネルを指又はペンで触れている状態であること（タッチオン）。タッチパネルを指又はペンで触れたまま移動すること（ムーブ）。タッチパネルに触れていた指又はペンを離したこと（タッチアップ）。タッチパネルに何も触れていない状態（タッチオフ）。
【００３４】
上述の操作および状態、そして、タッチパネルに指又はペンが触れている位置座標は内部バスを介してタッチ情報としてシステム制御部５０に通知される。システム制御部５０はタッチ情報に基づいてタッチパネルでどのような操作が行なわれたかを判定する。
【００３５】
システム制御部５０はムーブについてはタッチパネル上で移動する指又はペンの移動方向を、位置座標の変化に基づいてタッチパネル上の垂直成分および水平成分毎に判定する。また、タッチパネル上をタッチダウンから一定のムーブを経てタッチアップをしたとき、これをストロークを描いたことする。素早くストロークを描く操作をフリックと呼ぶ。フリックは、タッチパネル上に指を触れたままある程度の距離だけ素早く動かして、そのまま離すといった操作であり、言い換えると、タッチパネル上を指ではじくように素早くなぞる操作である。
【００３６】
所定の距離以上を、所定の速度以上でムーブしたことを検出して、そのままタッチアップを検出すると、システム制御部５０はフリックが行なわれたと判定する。また、所定の距離以上を、所定の速度未満でムーブしたことを検出した場合には、システム制御部５０はドラッグが行なわれたと判定する。
【００３７】
なお、タッチパネルとして、抵抗膜方式、静電容量方式、表面弾性波方式、赤外線方式、電磁誘導方式、画像認識方式、および光センサ方式などのいずれかの方式のタッチパネルが用いられる。
【００３８】
電源制御部８０は、電池検出回路、ＤＣ−ＤＣコンバータ、通電するブロックを切り替えるスイッチ回路などを有している。そして、電源制御部８０は、電池の装着の有無、電池の種類、および電池残量を検出する。また、電源制御部８０は、検出結果およびシステム制御部５０の指示に基づいてＤＣ−ＤＣコンバータを制御し、必要な電圧を必要な期間、記録媒体２００を含む各部に供給する。
【００３９】
電源部３０は、アルカリ電池又はリチウム電池などの一次電池、ＮｉＣｄ電池、ＮｉＭＨ電池、又はＬｉ電池などの二次電池を有している。さらに、電源部３０には、ＡＣアダプターなどが備えられている。
【００４０】
記録媒体Ｉ／Ｆ１８は、メモリカード（半導体メモリ）又はハードディスクなどの記録媒体２００とのインターフェースである。そして、記録媒体２００には、撮影の結果得られた画像データが記録される。
【００４１】
姿勢検出部５４は重力方向に対するカメラ１００の姿勢を検知する。姿勢検出部５４で検知された姿勢に基づいて、システム制御部５０は撮影の結果得られた画像データがカメラ１００を横又は縦のいずれに構えて撮影された画像であるかを判別する。なお、姿勢検出部５４として、例えば、加速度センサが用いられる。
【００４２】
以下、ユーザがカメラ１００の姿勢を変えて構図を検討して撮影を行う際に、システム制御部５０によって行われる撮影姿勢の推定から撮影処理までの動作について説明する。
【００４３】
図２は、図１に示すカメラ１００で行われる撮影動作を説明するためのフローチャートである。なお、図示のフローチャートに係る処理は、システム制御部５０の制御下で行われる。
【００４４】
撮影処理を開始すると、システム制御部５０は、アスペクト比が変更可能であることを示すアスペクト比変更ガイドをリフレッシュ処理する（ステップＳ１０１）。このアスペクト比変更ガイドについては後述する。なお、アスペクト比変更ガイドが表示部２８に表示されていない場合には、システム制御部５０は、ステップＳ１０１の処理を行うことになくステップＳ１０２の処理に進む。
【００４５】
なお、リフレッシュ処理において、システム制御部５０はアスペクト比変更ガイドの表示を終了するか否かを判定する。アスペクト比変更ガイドを終了する条件として、例えば、アスペクト比変更ガイドの表示を開始してから所定の定時間が経過したことが終了条件となる。また、カメラ１００の姿勢に変化があると、システム制御部５０はアスペクト比変更ガイドの表示を終了する。システム制御部５０は、カメラ１００の姿勢に変化があったか否かについて姿勢検出部５４の出力を参照して判定する。
【００４６】
アスペクト比変更ガイドを終了すると判定した場合には、システム制御部５０は、アスペクト比変更ガイドの表示を終了して、後述するステップＳ１０３の処理に進む。
【００４７】
続いて、システム制御部５０は、アスペクト比変更ガイドが表示されているか否かを判定する（ステップＳ１０２）。アスペクト比変更ガイドが表示されていない場合（ステップＳ１０２において、ＮＯ）、アスペクト比変更ガイドが表示されていない場合（ステップＳ１０２において、ＮＯ）、システム制御部５０は、姿勢検出部５４の出力を参照してカメラ１００の姿勢に変化があったか否かを判定する（ステップＳ１０３）。
【００４８】
カメラ１００の姿勢に変化がなかった場合（ステップＳ１０３において、ＮＯ）、システム制御部５０は現在の姿勢となってから所定の時間が経過したか否かを判定する（ステップＳ１０４）。カメラ１００が現在の姿勢となってから所定の時間が経過していない場合（ステップＳ１０４において、ＮＯ）、システム制御部５０は、第１のシャッタースイッチ信号ＳＷ１がオンであるか否かを判定する（ステップＳ１０５）。
【００４９】
第１のシャッタースイッチ信号ＳＷ１がオンとであると（ステップＳ１０５において、ＹＥＳ））、システム制御部５０はカメラ１００の姿勢がユーザによって決定されていると推定する。そして、システム制御部５０は、姿勢検出部５４の出力である撮影姿勢を決定姿勢としてシステムメモリ５２に記録する（ステップＳ１０６）。
【００５０】
第１のシャッターステッチ信号ＳＷ１がオフであると（ステップＳ１０５において、ＮＯ）、システム制御部５０は、カメラ１００の姿勢がユーザによってまだ決定されていないと推定してステップＳ１０１の処理に戻る。
【００５１】
所定の時間が経過している場合（ステップＳ１０４において、ＹＥＳ）、システム制御部５０はカメラ１００の姿勢がユーザによって決定されていると推定して、ステップＳ１０６の処理に進む。また、カメラ１００の姿勢に変化がある場合（ステップＳ１０３において、ＹＥＳ）、システム制御部５０はステップＳ１０５の処理に進む。なお、アスペクト比変更ガイドが表示されている場合（ステップＳ１０２において、ＹＥＳ）、システム制御部５０はステップＳ１０６の処理に進む。
【００５２】
次に、システム制御部５０は、システムメモリ５２に記録した撮影姿勢（今回の撮影姿勢）が前回記録した撮影姿勢（前回の撮影姿勢）と同一であるか否かを判定する（ステップＳ１０７）。今回の撮影姿勢が前回の撮影姿勢と同一でない場合（ステップＳ１０７において、ＮＯ）、システム制御部５０は、アスペクト比変更ガイドを表示部２８に表示する（ステップＳ１０８）。アスペクト比変更ガイドについては後述するが、ユーザはアスペクト比変更ガイドを参照して、撮影によって得られる画像のアスペクト比を設定変更することができる。
【００５３】
これによって、ユーザがカメラ１００の姿勢を変更して、撮影によって得られる画像の構図について検討している場面において、システム制御部５０は設定可能なアスペクト比をユーザに認識させることができる。
【００５４】
なお、アスペクト比が１：１又は４：３（３：４）などの姿勢に拘わらず頻繁に用いられる比に設定されている場合には、システム制御部５０はアスペクト比変更ガイドを表示部２８に表示しないようにしてもよい。これによって、不要な情報をユーザに提示することを防ぐことができる。
【００５５】
続いて、システム制御部５０は、ユーザによってアスペクト比の設定変更が行われたか否かを判定する（ステップＳ１０９）。
【００５６】
今回の撮影姿勢が前回の撮影姿勢と同一である場合（ステップＳ１０７において、ＹＥＳ）、システム制御部５０は、ステップＳ１０９の処理に進む。この際、既にアスペクト比変更ガイドが表示部２８に表示されていれば、システム制御部５０はそのままアスペクト比変更ガイドの表示を継続する。また、アスペクト比変更ガイドが表示部２８に表示されていなければ、システム制御部５０はアスペクト比変更ガイドを表示しない。
【００５７】
ユーザがアスペクト比の設定変更操作を行った場合（ステップＳ１０９において、ＹＥＳ）、システム制御部５０は、アスペクト比としてユーザによって選択された設定値を設定する（ステップＳ１１０）。その後、システム制御部５０は、アスペクト比変更ガイドの表示を終了する（ステップＳ１１１）。
【００５８】
なお、ステップＳ１１１の処理を行う代わりに、ユーザがさまざまな構図を検討するため、システム制御部５０は、アスペクト比変更ガイドを表示した後、ユーザによるアスペクト比の設定変更操作がない場合であっても予め設定された時間が経過するまでアスペクト比変更ガイドの表示を継続するようにしてもよい。この場合には、後述のステップＳ１１４においては、アスペクト比変更ガイドの表示が継続されていたとしても、システム制御部５０は表示が終了したものと判定する。
【００５９】
続いて、システム制御部５０は、第２のシャッタースイッチ信号ＳＷ２がオンであるか否かを判定する（ステップＳ１１２）。なお、ユーザがアスペクト比の設定変更操作を行わないと（ステップＳ１０９において、ＮＯ）、システム制御部５０はステップＳ１１２の処理に進む。
【００６０】
第２のシャッタースイッチ信号ＳＷ２がオフであると（ステップＳ１１２において、ＮＯ）、システム制御部５０はステップＳ１０１の処理に戻る。一方、第２のシャッタースイッチ信号ＳＷ２がオンであると（ステップＳ１１２において、ＹＥＳ）、システム制御部５０は、撮像部２２からの信号読み出しから記録媒体２００への画像データの書き込む一連の撮影処理を行う（ステップＳ１１３）。この際には、システム制御部５０は表示部２８に撮影によって得られた画像データに応じた画像を表示する。
【００６１】
次に、システム制御部５０は、第２のシャッタースイッチ信号ＳＷ２がオンとなる直前、つまり、撮影処理を開始する直前でアスペクト比変更ガイドが表示部２８に表示されていたか否かを判定する（ステップＳ１１４）。なお、システム制御部５０がアスペクト比変更ガイドを表示し、かつステップＳ１０１又はステップＳ１１１の処理でその表示が終了されていないと、撮影処理を開始する直前の段階でアスペクト比変更ガイドが表示されている状態となる。
【００６２】
撮影処理を開始する直前の段階でアスペクト比変更ガイドが表示されていないと（ステップＳ１１４において、ＮＯ）、システム制御部５０は撮影動作を終了する。一方、撮影処理を開始する直前の段階でアスペクト比変更ガイドが表示されていると（ステップＳ１１４において、ＹＥＳ）、システム制御部５０は、ユーザがアスペクト比変更ガイドの存在に気付かない状態でシャッターボタン６１を全押しした可能性があるとする。そして、システム制御部５０は後述の撮影後アスペクト比変更処理を行う（ステップＳ１１５）。その後、システム制御部５０は撮影動作を終了する。
【００６３】
図３は、図２に示す撮影後アスペクト比変更処理を説明するためのフローチャートである。
【００６４】
撮影後アスペクト比変更処理を開始すると、システム制御部５０は、撮影処理において表示部２８に表示した撮影画像に重畳してアスペクト比変更ガイドを表示する（ステップＳ２０１）。これによって、ユーザはアスペクト比変更ガイドを参照して、撮影によって得られた（つまり、撮影後）の画像についてアスペクト比の設定変更操作を行うことができる。
【００６５】
続いて、システム制御部５０は、ユーザによってアスペクト比の設定変更が行われたか否かを判定する（ステップＳ２０２）。ユーザによってアスペクト比の設定変更が行われないと（ステップＳ２０２において、ＮＯ）、システム制御部５０は撮影後アスペクト比変更処理を終了する。
【００６６】
一方、ユーザによってアスペクト比の設定変更が行われると（ステップＳ２０２において、ＹＥＳ）、システム制御部５０は、設定変更されたアスペクト比を変更後のアスペクト比として設定する（ステップＳ２０３）。そして、システム制御部５０は、変更後のアスペクト比に応じて、撮影処理において生成されたＲＡＷ画像からアスペクト比変更後の画像データを生成して、当該画像データに応じた画像を表示部２８に表示する（ステップＳ２０４）。なお、ステップＳ２０３で設定変更されたアスペクト比を次回以降の撮影で用いるアスペクト比の設定値とするようにしてもよい。
【００６７】
続いて、システム制御部５０は、ステップＳ１１３の撮影処理において記録媒体２００に書き込んだ撮影画像のデータを削除する（ステップＳ２０４）。これによって、記録媒体２００に不要な画像が蓄積されてしまうことを防ぐことができる。その後、システム制御部５０は撮影後アスペクト比変更処理を終了する。
【００６８】
このようにして、撮影後アスペクト比変更処理を行うことによって、ユーザがアスペクト比を変更できることに気付かない状態で撮影が行われた場合であっても、アスペクト比の設定変更をユーザに認識させることができる。
【００６９】
図４は、図１に示す表示部に表示される画像とともに表示されるアスペクト比変更ガイドの一例を説明するための図である。そして、図４（ａ）はアスペクト比変更ガイドの第１の例を示す図であり、図４（ｂ）はアスペクト比変更ガイドの第２の例を示す図である。
【００７０】
アスペクト比変更ガイドを表示部２８に表示する際には、システム制御部５０は、アスペクト比変更ガイド用の画像を生成して、当該スルー画像８００に重畳して表示部２８に表示する。この際、システム制御部５０は、スルー画像８００をユーザによって設定されたアスペクト比でトリミングして表示部２８に表示する。また、システム制御部５０は、スルー画像８００においてフォーカスを合わせるべき領域又は箇所（位置）を判定する。そして、システム制御部５０は、フォーカスを合わせるべき箇所を囲む枠（以下ＡＦ窓と呼ぶ）８０１をスルー画像８００に重畳して表示部２８に表示する。
【００７１】
図４（ａ）に示す例では、システム制御部５０は、表示部２８においてＡＦ窓８０１を避けた位置にアスペクト比変更ガイド８０２ａを表示する。このアスペクト比変更ガイド８０２ａは複数のアスペクト比候補を有している。以下図４（ａ）に示すアスペクト比変更ガイド８０２ａを選択式ガイド８０２ａという。
【００７２】
図示のように、表示部２８においてＡＦ窓８０１を避けた位置に選択式ガイド８０２ａが表示されるので、ユーザはスルー画像８００を確認しつつ撮影を行う際、選択式ガイド８０２ａがユーザの視認に邪魔になる可能性を低減することができる。
【００７３】
選択式ガイド８０２ａには、設定可能なアスペクト比候補（１：１、２：３…、など）が表示されている。ユーザは操作部７０を操作してアスペクト比候補から、所望のアスペクト比を選択する。システム制御部５０は、ユーザによって選択されたアスペクト比をアスペクト比設定値として、撮影処理又は撮影後アスペクト比変更処理を行う際、当該アスペクト比設定値に応じた画像データを生成する。
【００７４】
図４（ｂ）に示す例では、システム制御部８０は、ＡＦ窓８０１を避けた位置にアスペクト比変更ガイド８０２ｂを表示する。以下図４（ｂ）に示すアスペクト比変更ガイド８０２ｂをドラッグ式ガイド８０２ｂという。
【００７５】
図示のように、表示部２８においてＡＦ窓８０１を避けた位置にドラッグ式ガイド８０２ｂが表示されるので、ユーザはスルー画像８００を確認しつつ撮影を行う際、ドラッグ式ガイド８０２ｂがユーザの視認に邪魔になる可能性を低減することができる。
【００７６】
システム制御部５０は、ドラッグ式ガイド８０２ｂをドラッグ（ドラッグ操作）するとアスペクト比が変更できることを示唆する画像又はアニメーションを表示する。図４（ｂ）に示す例においては、システム制御部５０はドラッグの方向を示す矢印８０２ｂ１とアスペクト比が変更された場合の画像外形を示唆する点線８０２ｂ２とが表示する。
【００７７】
ユーザは、タッチパネル上においてドラッグ式ガイド８０２ｂが表示された箇所をドラッグして所望のアスペクト比を選択する。例えば、システム制御部５０はユーザがドラッグを行った距離に応じてアスペクト比を順次変更する。ユーザは、スルー画像８００のアスペクト比を確認しつつドラッグを行い、所望のアスペクト比に変更された段階でタッチアップを行う。そして、システム制御部５０はユーザがタッチアップして際のアスペクト比をアスペクト比設定値とする。
【００７８】
なお、図４（ｂ）に示す例においては、矢印８０２ｂ１および点線８０２ｂ２を表示するようにしたが、ドラッグ式ガイド８０２ｂの表示は図示の例に限定されない。
【００７９】
図５は、図１に示す表示部に表示されたアスペクト比変更ガイドを参照して行われるアスペクト比の設定変更操作を説明するための図である。そして、図５（ａ）は表示部に表示されたスルー画像の第１の例を示す図であり、図５（ｂ）は表示部に表示されたスルー画像の第２の例を示す図である。また、図５（ｃ）はスルー画像に重畳された表示されたアスペクト比変更ガイドの一例を示す図であり、図５（ｄ）はアスペクト比変更ガイドにおけるアスペクト比候補の選択を示す図である。
【００８０】
図５（ａ）に示す例では、ユーザによってカメラ１００の姿勢が横向きとされ、アスペクト比が１６：９に設定された際に表示部２８に表示されたスルー画像が示されている。つまり、システム制御部５０はアスペクト比１６：９にトリミングしたスルー画像８００を表示部２８に表示する。
【００８１】
図５（ａ）の状態において、図２で説明したステップＳ１０３〜Ｓ１０５までの処理でカメラ１００の姿勢がユーザにより決定されていると推定できる状況になったとする。これによって、システム制御部５０は、ステップＳ１０６の処理において撮影姿勢をシステムメモリ５２に記録する。
【００８２】
その後、ユーザによってカメラ１００の姿勢が縦向きにされると、システム制御部５０は、図５（ｂ）に示すスルー画像８００を表示部２８に表示する。この場合、カメラ１００の姿勢が横向きの場合にアスペクト比が１６：９であったので、図５（ｂ）に示すスルー画像８００のアスペクト比は９：１６となる。
【００８３】
ユーザによってカメラ１００の姿勢が縦向きさされた後、ステップＳ１０３〜Ｓ１０５までの処理においてカメラ１００の姿勢がユーザにより決定されていると推定できる状況になると、システム制御部５０はステップＳ１０６の処理に進む。
【００８４】
そして、前述のように、ステップＳ１０７の処理において、システム制御部５０はステップＳ１０６で記録した撮影姿勢が前回記録した撮影姿勢と同一であるか否かを判定する。ユーザがカメラ１００の姿勢を変えて構図について検討していると推測される場合、前述のように、システム制御部５０はアスペクト比変更ガイドをスルー画像８００に重畳して表示部２８に表示する。
【００８５】
図５（ｃ）においては、アスペクト比変更ガイドの一例である選択式ガイド８０２ａが図５（ｂ）と同様のスルー画像８００に重畳して表示されている。
【００８６】
アスペクト比変更ガイドが表示されても、ユーザが所定の操作又はカメラ１００の姿勢変更を行わない場合、システム制御部５０は所定の条件が満たされると、ステップＳ１０１の処理においてアスペクト比変更ガイドの表示を終了する。
【００８７】
アスペクト比変更ガイドが表示されて、ユーザが所定の操作を行わずにカメラ１００の姿勢変更を行うと、システム制御部５０は、前述のように、ステップＳ１０１においてアスペクト比変更ガイドの表示を終了する。その後、再度ステップＳ１０３からステップＳ１０５までの処理において、システム制御部５０はカメラ１００の姿勢がユーザによって決定されているか否かを判定することになる。
【００８８】
アスペクト比変更ガイドが表示されて、ユーザがアスペクト比変更操作を行ったとする。例えば、図５（ｄ）に示すように、ユーザが３：４のアスペクト比を選択したとする。この際には、システム制御部５０は選択式ガイド８０２ａにおいて”３：４のアスペクト比候補”のアイコンがハイライトをハイライトする（図５（ｄ）に示す例では白抜きとする）。そして、システム制御部５０はアスペクト比を３：４に設定したスルー画像８００を表示部２８に表示する。
【００８９】
ユーザがアスペクト比の選択をした後又はユーザがアスペクト比の選択をしてから所定の時間経過後、システム制御部５０はステップＳ１１１においてアスペクト比変更ガイドの表示を終了する。
【００９０】
このように、本発明の実施の形態では、ユーザが構図について検討している場面において、設定可能なアスペクト比をユーザに認識させることによって、ユーザは所望の構図での撮影を行うことができる。
【００９１】
上述の説明から明らかなように、図１に示す例においては、システム制御部５０、シャッターボタン６１、姿勢検出部５４、システムタイマー５３、およびシステムメモリ５２又はメモリ３２が記録手段として機能する。さらに、システム制御部５０、メモリ制御部１５、およびＤ／Ａ変換器１３は報知手段として機能する。また、システム制御部５０、メモリ制御部１５、およびＤ／Ａ変換器１３は表示制御手段として機能し、システム制御部５０および操作部７０は設定手段として機能する。加えて、システム制御部５０および画像処理部２４は処理手段として機能する。
【００９２】
以上、本発明について実施の形態に基づいて説明したが、本発明は、これらの実施の形態に限定されるものではなく、この発明の要旨を逸脱しない範囲の様々な形態も本発明に含まれる。
【００９３】
また、上記の実施の形態の機能を制御方法として、この制御方法を撮像装置に実行させるようにすればよい。また、上述の実施の形態の機能を有するプログラムを制御プログラムとして、当該制御プログラムを撮像装置が備えるコンピュータに実行させるようにしてもよい。なお、制御プログラムは、例えば、コンピュータに読み取り可能な記録媒体に記録される。
【００９４】
［その他の実施形態］
本発明は、上述の実施形態の１以上の機能を実現するプログラムを、ネットワーク又は記憶媒体を介してシステム又は装置に供給する。そして、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００９５】
１０３  撮影レンズ
２２  撮像部
２４  画像処理部
２８  表示部
５０  システム制御部
５４  姿勢検出部
５６  不揮発性メモリ
６０  モード切替スイッチ
６１  シャッターボタン
７０  操作部
【図１】
2017085465.tif 000003
【図２】
2017085465.tif 000004
【図３】
2017085465.tif 000005
【図４】
2017085465.tif 000006
【図５】
2017085465.tif 000007